(57)【要約】      （修正有）【課題】一連の撮影動作において、電子ビューファインダー又は光学ファインダーによる観察を容易に選択する撮像装置、その制御方法及び制御プログラムを提供する。【解決手段】ファインダー内部表示部１２４は光学ファインダーに配置され、撮像によって得られた画像を光学ファインダーにおいて観察可能に表示する。ＣＰＵ１０１はレリーズＳＷ１１４によって撮影指示が行われると撮像を行い、撮像の後、レリーズＳＷ１１４によって撮影指示が行われている状態であると、撮像によって得られた画像をファインダー内部表示部１２４に表示する。また、ＣＰＵ１０１は、レリーズＳＷ１１４によって撮影指示が行われている状態でないと、光学ファインダーによって被写体像を観察できる状態とする。【選択図】図２
2016111422.tif 000002
【特許請求の範囲】
【請求項１】
撮影レンズを介して結像した被写体像を撮像して画像を得る撮像手段と、前記撮影レンズを介して被写体像を観察する光学ファインダーとを有する撮像装置であって、
前記光学ファインダーに配置され前記画像を前記光学ファインダーにおいて観察可能に表示する表示手段と、
撮影を指示するための撮影指示を行う操作部材によって前記撮影指示が行われると前記撮像手段を制御して撮像を行う第１の制御手段と、
前記撮像手段による撮像の後、前記操作部材によって前記撮影指示が行われている状態であると、前記撮像手段によって得られた画像を前記表示手段に表示し、前記操作部材によって前記撮影指示が行われている状態でないと、前記光学ファインダーによって前記被写体像を観察できる状態とする第２の制御手段と、
を有することを特徴とする撮像装置。
【請求項２】
前記撮影レンズの光路に配置され前記被写体像を前記光学ファインダーに導くミラーを有し、
前記第２の制御手段は、前記操作部材によって前記撮影指示が行われている状態であると、前記ミラーを前記光路から退避させて前記撮像手段によって得られた画像を前記表示手段に表示し、前記操作部材によって前記撮影指示が行われていない状態であると、前記ミラーを前記光路に配置して前記光学ファインダーによって前記被写体像を観察できる状態とすることを特徴とする請求項１に記載の撮像装置。
【請求項３】
前記表示手段に前記画像を表示するか否かを設定する第１の設定手段を有し、
前記第１の設定手段によって前記表示手段に前記画像を表示する設定が行われていると、前記第２の制御手段は前記撮像手段によって得られた画像を前記表示手段に表示することを特徴とする請求項１又は２に記載の撮像装置。
【請求項４】
前記第１の設定手段によって前記表示手段に前記画像を表示する設定が行われていないと、第２の制御手段は、前記撮像手段による撮像の後、前記光学ファインダーによって前記被写体像を観察できる状態とすることを特徴とする請求項３に記載の撮像装置。
【請求項５】
前記撮像手段は、前記被写体像に応じた画像信号を出力する撮像素子と、前記画像信号を画像処理して前記画像を生成する画像処理手段とを有し、
前記第２の制御手段は、前記光学ファインダーによって前記被写体像を観察できる状態とした後、前記画像処理手段による画像処理を行わせることを特徴とする請求項４に記載の撮像装置。
【請求項６】
前記第２の制御手段は、前記撮像手段によって得られた画像を前記表示手段に表示した後、前記操作部材によって前記撮影指示が行われている状態で所定の時間が経過すると、前記表示手段への前記画像の表示を停止することを特徴とする請求項１〜５のいずれか１項に記載の撮像装置。
【請求項７】
前記操作部材は、前記撮像手段による撮影の準備を行う撮影準備指示を行う第１のポジションと、前記撮影指示を行う第２のポジションとを有し、
前記第１のポジションおよび前記第２のポジションに応じて前記表示手段に前記画像を表示するか否かを設定する第２の設定手段を有することを特徴とする請求項１又は２に記載の撮像装置。
【請求項８】
前記操作部材によって前記撮影指示が行われている状態では、前記第１の制御手段は前記撮像手段による撮像を繰り返す連写モードを実行し、
前記連写モードが実行されると、前記第２の制御手段は前記撮像手段によって得られた画像の前記表示手段への表示を停止することを特徴とする請求項１に記載の撮像装置。
【請求項９】
撮影レンズを介して結像した被写体像を撮像して画像を得る撮像手段と、前記撮影レンズを介して被写体像を観察する光学ファインダーと、前記光学ファインダーに配置され前記画像を前記光学ファインダーにおいて観察可能に表示する表示手段とを有する撮像装置の制御方法であって、
撮影を指示するための撮影指示を行う操作部材によって前記撮影指示が行われると前記撮像手段を制御して撮像を行う第１の制御ステップと、
前記撮像手段による撮像の後、前記操作部材によって前記撮影指示が行われている状態であると、前記撮像手段によって得られた画像を前記表示手段に表示し、前記操作部材によって前記撮影指示が行われている状態でないと、前記光学ファインダーによって前記被写体像を観察できる状態とする第２の制御ステップと、
を有することを特徴とする制御方法。
【請求項１０】
撮影レンズを介して結像した被写体像を撮像して画像を得る撮像手段と、前記撮影レンズを介して被写体像を観察する光学ファインダーと、前記光学ファインダーに配置され前記画像を前記光学ファインダーにおいて観察可能に表示する表示手段とを有する撮像装置で用いられる制御プログラムであって、
前記撮像装置が備えるコンピュータに、
撮影を指示するための撮影指示を行う操作部材によって前記撮影指示が行われると前記撮像手段を制御して撮像を行う第１の制御ステップと、
前記撮像手段による撮像の後、前記操作部材によって前記撮影指示が行われている状態であると、前記撮像手段によって得られた画像を前記表示手段に表示し、前記操作部材によって前記撮影指示が行われている状態でないと、前記光学ファインダーによって前記被写体像を観察できる状態とする第２の制御ステップと、
を実行させることを特徴とする制御プログラム。
【発明の詳細な説明】
【技術分野】
【０００１】
本発明は、撮像装置、その制御方法、および制御プログラムに関し、特に、撮像装置において撮影後の画像を確認する際の手法に関する。
【背景技術】
【０００２】
一般に、デジタルカメラなどの撮像装置において、光学ファインダーと電子ビューファインダーとを切り替え可能なものが知られている。このような撮像装置において、光学ファインダーと電子ビューファインダーとが同一の光路において切り替え可能であれば、ユーザは撮像装置を理想的な構えで保持して、撮影の際と同一の姿勢のまま、撮影の結果得られた画像を電子ビューファインダーで確認することができる。
【０００３】
例えば、光学ファインダー像に電子ビューファインダーの画像を重畳して、両画像を同時に視認することが可能な撮像装置がある。この撮像装置では、主ミラーを用いて光学ファインダーに向う光路を遮断して、光学像の影響を受けることなく電子ビューファインダーに表示された画像を観察できるようにしている（特許文献１参照）。
【０００４】
このように、光学的に被写体を視認するか又は電子ビューファインダーに表示した画像を視認するかを選択することによって、ユーザはファインダーによる被写体の観察が容易となる。
【０００５】
上述の点は、撮影の結果得られた画像を表示するクイックレビュー表示を行う際にも当てはまる。ところが、クイックレビュー表示を行うと、光学ファインダーによる被写体の観察できなり、次の撮影の支障となる。
【０００６】
一方、連写モードにおいてレリーズ釦が押されている間、可動ミラーを光路から退避した位置に移動させた状態で撮影動作を繰り返す撮像装置が知られている（特許文献２参照）。そして、この撮像装置では、撮影によって得られた画像を光学ファインダーに備えられた表示部に表示している。つまり、この撮像装置では、連写モードの際には、可動ミラーをアップ状態に維持して、光学ファインダーに備えられたモニタに撮撮影によって得られた画像を表示している。
【０００７】
さらに、再生モードと撮影モードとの切り替えの際に、フェイス（顔）検知情報を用いて電子ビューファインダーと光学ファインダーとを切り替えるか否かを判定するようにした撮像装置がある（特許文献３参照）。
【先行技術文献】
【特許文献】
【０００８】
【特許文献１】特開２０１４−４８４９２号公報
【特許文献２】特開２００３−２０９７２０号公報
【特許文献３】特開２０１１−１９３０７５号公報
【発明の概要】
【発明が解決しようとする課題】
【０００９】
ところで、上述の特許文献１に記載の撮像装置においては、光学ファインダーに重畳する電子ビューファインダーの画像を視認し易くするようにしているものの、撮影の際の一連のシーケンスにおいてどのような操作およびタイミングでクイックレビュー表示を行うかについては記載されていない。このため、ユーザはクイックレビューを適切なタイミングで確認することができない。
【００１０】
さらに、特許文献２に記載の撮像装置においては、連写モードにおいてはミラーがアップ状態となるので、光学ファインダーで被写体を観察することが一切できなくなってしまう。その結果、連写モードにおいては、ユーザは電子ビューファインダーおよび光学ファインダーを使い分けて被写体を観察することができない。
【００１１】
そして、電子ビューファインダーにおいては、撮像処理又は再生処理による時間分だけ遅れた被写体を観察することになる。このため、連写中に電子ビューファインダーのみが使用可能であると、動きのある被写体の撮影に適さず、さらにはレリーズタイミングのシビアな被写体の撮影にも適さない。
【００１２】
また、光学ファインダーと電子ビューファインダーとが同一の光路において切り替え可能な撮像装置では、撮影中においては、ユーザは光学ファインダーを覗いたままの状態となる。よって、特許文献３に記載の撮像装置のように、フェイス検知情報に応じて光学ファインダーと電子ビューファインダーとを切り替えるようにすると、ユーザは光学ファインダーによって被写体を観察できない事態が生じてしまう。
【００１３】
そこで、本発明の目的は、一連の撮影動作において、電子ビューファインダー又は光学ファインダーによる観察を容易に選択することのできる撮像装置、その制御方法、および制御プログラムを提供することにある。
【課題を解決するための手段】
【００１４】
上記の目的を達成するため、本発明による撮像装置は、撮影レンズを介して結像した被写体像を撮像して画像を得る撮像手段と、前記撮影レンズを介して被写体像を観察する光学ファインダーとを有する撮像装置であって、前記光学ファインダーに配置され前記画像を前記光学ファインダーにおいて観察可能に表示する表示手段と、撮影を指示するための撮影指示を行う操作部材によって前記撮影指示が行われると前記撮像手段を制御して撮像を行う第１の制御手段と、前記撮像手段による撮像の後、前記操作部材によって前記撮影指示が行われている状態であると、前記撮像手段によって得られた画像を前記表示手段に表示し、前記操作部材によって前記撮影指示が行われている状態でないと、前記光学ファインダーによって前記被写体像を観察できる状態とする第２の制御手段と、を有することを特徴とする。
【００１５】
本発明による制御方法は、撮影レンズを介して結像した被写体像を撮像して画像を得る撮像手段と、前記撮影レンズを介して被写体像を観察する光学ファインダーと、前記光学ファインダーに配置され前記画像を前記光学ファインダーにおいて観察可能に表示する表示手段とを有する撮像装置の制御方法であって、撮影を指示するための撮影指示を行う操作部材によって前記撮影指示が行われると前記撮像手段を制御して撮像を行う第１の制御ステップと、前記撮像手段による撮像の後、前記操作部材によって前記撮影指示が行われている状態であると、前記撮像手段によって得られた画像を前記表示手段に表示し、前記操作部材によって前記撮影指示が行われている状態でないと、前記光学ファインダーによって前記被写体像を観察できる状態とする第２の制御ステップと、を有することを特徴とする。
【００１６】
本発明による制御プログラムは、撮影レンズを介して結像した被写体像を撮像して画像を得る撮像手段と、前記撮影レンズを介して被写体像を観察する光学ファインダーと、前記光学ファインダーに配置され前記画像を前記光学ファインダーにおいて観察可能に表示する表示手段とを有する撮像装置で用いられる制御プログラムであって、前記撮像装置が備えるコンピュータに、撮影を指示するための撮影指示を行う操作部材によって前記撮影指示が行われると前記撮像手段を制御して撮像を行う第１の制御ステップと、前記撮像手段による撮像の後、前記操作部材によって前記撮影指示が行われている状態であると、前記撮像手段によって得られた画像を前記表示手段に表示し、前記操作部材によって前記撮影指示が行われている状態でないと、前記光学ファインダーによって前記被写体像を観察できる状態とする第２の制御ステップと、を実行させることを特徴とする。
【発明の効果】
【００１７】
本発明によれば、操作部材によって撮影指示が行われている状態であると、撮像の結果得られた画像を表示手段（つまり、電子ビューファインダー）に表示する。そして、操作部材によって撮影指示が行われている状態でないと、光学ファインダーによって被写体像を観察できる状態とする。これによって、撮影者は電子ビューファインダー又は光学ファインダーによる観察を容易に選択することができる。
【図面の簡単な説明】
【００１８】
【図１】本発明の第１の実施形態による撮像装置の一例についてその構成を示す図である。
【図２】図１に示すカメラの制御系の一例についてその構成を示すブロック図である。
【図３】図２に示すカメラによる撮影動作の一例を説明するためのフローチャートである。
【図４】本発明の第２の実施形態によるカメラにおいて撮影動作の一例を説明するためのフローチャートである。
【図５】図４に示すＱＲモードおよびＳＷ判定を説明するためのフローチャートである。
【図６】本発明の第３の実施形態によるカメラにおいて撮影動作の一例を説明するためのフローチャートである。
【発明を実施するための形態】
【００１９】
以下に、本発明の実施の形態による撮像装置の一例について、図面を参照して説明する。
【００２０】
［第１の実施形態］
図１は、本発明の第１の実施形態による撮像装置の一例についてその構成を示す図である。
【００２１】
図示の撮像装置は、所謂デジタル一眼レフカメラ（以下単にカメラと呼ぶ）であり、カメラ本体１００および交換式の撮影レンズユニット（以下単に撮影レンズと呼ぶ）１０５を有している。撮影レンズ１０５は、レンズ群１０５ａおよびレンズ駆動部１３１を有している。図示の例では、レンズ群１０５ａとして一枚のレンズのみが示されているが、レンズ群１０５ａはフォーカスレンズを含む複数のレンズを有している。そして、レンズ駆動部１３１は、カメラ本体１００に備えられたＣＰＵ１０１の制御したでレンズ群１０５ａを光軸に沿って駆動する。
【００２２】
カメラ本体１００にはＣＰＵ１０１が備えられており、ＣＰＵ１０１はカメラ全体の制御を司る。さらに、カメラ本体１００には半透過ミラーである主ミラー１２３が備えられており、主ミラー１２３の後段には、ＣＭＯＳイメージセンサーなどの撮像素子１０６が配置されている。そして、撮影レンズ１０５を介して光学像（被写体像）が撮像素子１０６に結像する。
【００２３】
主ミラー１２３の上側において、撮像素子１０６の結像面と等価な結像面（一次結像面）にはフォーカッシングスクリーン（以下ピント板と呼ぶ）１２０が配置されている。そして、主ミラー１２３で反射された被写体像はピント板１２０に一次結像する。ユーザである撮影者はピント板１２０に結像した被写体像をペンタプリズム１２８および接眼レンズ１２１を介して観察することができる（観察可能となる）。つまり、ピント板１２０、ペンタプリズム１２８、および接眼レンズ１２１によってＴＴＬ方式の光学ファインダーが構成される。
【００２４】
一方、主ミラー１２３を透過した光束（つまり、光学像）はサブミラー１２２を介して焦点検出制御部１１９に導かれる。そして、焦点検出制御部１１９は所謂位相差検出方式によって焦点検出を行う。ここでは、焦点検出制御部１１９は撮影画面上の複数の領域について焦点検出を行うことができる。
【００２５】
カメラ本体１００には測光センサー１３０が備えられており、この測光センサー１３０は、例えば、１５×２３個の画素を有する撮像素子を備えている。測光センサー１３０には測光レンズ１２９を介してピント板１２０に結像した被写体像が入力される。そして、測光センサー１３０は被写体像を示す画面を複数の領域に分けて当該領域毎にその輝度を検出する。
【００２６】
撮影者がレリーズスイッチ（図１には示さず）を押すと、主ミラー１２３が撮影レンズ１０５の光路（つまり、光軸）外に退避する。この結果、主ミラー１０５によって光学像が反射されることなく、光学像はフォーカルプレーンシャッタ１３３によって光量が調整されて撮像素子１０６に結像する。
【００２７】
撮像素子１０６は、光電変換によって光学像に応じた画像信号を出力する。図示はしないが、撮像素子１０６の出力である画像信号は画像処理されて、画像データとして記録メディアに記録される。さらに、当該画像データに応じた画像が、例えば、ＴＦＴ方式の外部表示部１１３に表示される。
【００２８】
ところで、一般に、光学ファインダーを備えるカメラでは、前述のように、主ミラー１２３が光路外に退避すると、光学ファインダーは遮光状態となって、光学ファインダーによって被写体像を観察することができなくなる。
【００２９】
図１に示すカメラ１００では、光学ファインダーの光路の途中にファインダー内部表示部１２４を有する電子ビューファインダーが配置されている。ここでは、ファインダー内部表示部１２４は、例えば、ＸＧＡ（１０２４×７６８表示画素）ディスプレイである。このファインダー内部表示部１２４には、撮像素子１０６で得られた画像が表示される。この結果、主ミラー１２３が撮影レンズ１０５の光路外に退避した状態であっても、撮影者はファインダー内部表示部１２４に表示された画像で被写体を確認することができる。
【００３０】
なお、ファインダー内部表示部１２４には、撮像素子１０６で得られた画像とともに、各種の撮影情報が表示される。
【００３１】
ペンタプリズム１２８と接眼レンズ１２１との間には光路合成プリズム１２６が配置されている。光路合成プリズム１２６はファインダー内部表示部１２４に表示された画像と光学ファインダーの像とを合成するためのプリズムである。光路合成プリズム１２６は、例えば、２枚の三角形プリズムを貼り合せて形成されており、一方の三角形プリズムの接合面はハーフミラーとなっている。
【００３２】
ファインダー内部表示部１２４に表示された画像は、ハーフミラーにおいて反射して、接眼レンズ１２１を介して撮影者の眼に入射する。主ミラー１２３を撮影レンズ１０５の光路外に退避（ミラーアップ）すると、撮影レンズ１０５からの光学像は撮影者の眼には到達しない。つまり、ミラーアップすると、ファインダー内部表示部１２４に表示された画像が撮影者の眼に到達して、撮影者はファインダー内部表示部１２４に表示された画像を観察することができる（つまり、電子ビューファインダーとして機能する）。
【００３３】
光学ファインダーにおいては、撮影レンズ１０５を介してピント板１２０に投影された光学像（つまり、被写体像）が接眼レンズ１２１で拡大される。電子ビューファインダーは、接眼レンズ１２１を光学ファインダーと共用している。
【００３４】
そして、ピント板１２０とファインダー内部表示部１２４とにおける視度が一致するように、ファインダー内部表示部１２４に表示された画像は、ＥＶＦレンズ１２５および光路折り曲げ用のＥＶＦミラー１２７を介して光路合成プリズム１２６に入射する。つまり、ここでは、光学ファインダーと同一のファインダー光学系において、ファインダー内部表示部１２４に表示された画像によって被写体の観察および撮影済みの画像を確認することができる。
【００３５】
図示のように、接眼レンズ１２１の近傍には、接眼検知センサー１６０が配置されており、この接眼検知センサー１６０によって、ＣＰＵ１０１は撮影者がファインダーを覗いているか否かを検知する。
【００３６】
図２は、図１に示すカメラ１００の制御系の一例についてその構成を示すブロック図である。なお、図２において、図１に示すカメラと同一の構成要素については同一の参照番号を付す。
【００３７】
ＣＰＵ１０１は、その内部に不揮発性メモリであるＥＥＰＲＯＭ１０１ａを有している。また、ＣＰＵ１０１には、制御プログラムが記憶されたＲＯＭ１０２、ＲＡＭ１０３、データ格納部１０４、画像処理部１０８、表示制御部１１１、レリーズスイッチ（ＳＷ）１１４、および電源を供給するためのＤＣ／ＤＣコンバータ１１７が接続されている。
【００３８】
画像処理部１０８には、撮像素子制御部１０７が接続され、撮像素子制御部１０７には撮像素子１０６が接続されている。撮像素子１０６は、例えば、有効画素数約１０００万画素（３８８８×２５９２画素）を有している。
【００３９】
カメラ本体１００の外装背面部に設けられた外部表示部１１３および光学ファインダー内に設けられたファインダー内部表示部１２４は、撮像素子１０６による撮像の結果得られた画像を、間引き処理した画像を表示する可能なＴＦＴカラー液晶装置である。また、表示制御部１１１は、ＣＰＵ１０１の制御したで外部表示部１１３およびファインダー内部表示部１２４の表示制御を行う。
【００４０】
モータ制御部（図示せず）は、ＣＰＵ１０１の制御下で主ミラー１２３（図１）を駆動制御するとともに、シャッターチャージなどカメラ本体１００に備えられた複数のモータを駆動制御する。
【００４１】
ＣＰＵ１０１は、ＲＯＭ１０２に格納された制御プログラムに基づいて、カメラ全体の制御を行う。例えば、ＣＰＵ１０１は画像処理部１０８の出力である画像データを読み込んでＲＡＭ１０３に転送する処理を行う。さらに、ＣＰＵ１０１はＲＡＭ１０３から表示制御部１１１に画像データを転送する処理を行う。また、ＣＰＵ１０１は画像データをＪＰＥＧなどの圧縮画像データとして、当該圧縮画像データをデータ格納部１０４に格納する処理を行う。
【００４２】
加えて、ＣＰＵ１０１は、撮像素子１０６、撮像素子制御部１０７、画像処理部１０８、および表示制御部１１１などに対してデータ取り込み画素数およびデジタル画像処理を変更する指示を行う。
【００４３】
そして、ＣＰＵ１０１はレリーズＳＷ１１４の操作に応じて撮影動作を開始する。さらに、ＣＰＵ１０１は電源の供給をコントロールするための制御信号をＤＣ／ＤＣコンバータ１１７に対して送るなど種々の処理を行う。なお、ＣＰＵ１０１は、ファインダー内部表示部１２４の表示輝度を決定するバックライトであるＬＥＤ１２４ａの電流制御を行う。
【００４４】
前述の焦点検出制御部１１９は焦点検出用の複数対のラインＣＣＤセンサーを有しており、ラインＣＣＤセンサーの出力である電圧信号をＡ／Ｄ変換した後、ＣＰＵ１０１に送る。また、焦点検出制御部１１９は、ＣＰＵ１０１の制御下でラインＣＣＤセンサーの蓄積時間およびＡＧＣ（オートゲインコントロール）を制御する。
【００４５】
図示のように、ＲＡＭ１０３は、画像展開エリア、ワークエリア、ＶＲＡＭ、および一時退避エリアを備えている。画像展開エリアは、画像処理部１０８の出力である画像データ（例えば、ＹＵＶデジタル信号）およびデータ格納部１０４から読み出された圧縮画像データを一時的に格納するためのテンポラリーバッファとして用いられる。
【００４６】
ワークエリアは、ＣＰＵ１０１の作業領域であり、各種プログラムを展開するためのエリアである。ＶＲＡＭは表示部１１３およびファインダー内部表示部１２４に表示する表示用の画像データを格納するエリアとして用いられる。一時退避エリアは各種データを一時退避させるためのエリアである。
【００４７】
データ格納部１０４は、ＣＰＵ１０１によって圧縮処理された圧縮画像データをファイル形式で格納するフラッシュメモリである。なお、撮像素子１０６は、ＣＰＵ１０１の解像度変換指示に応じて水平方向および垂直方向に間引きを行った画素データを出力することができる。
【００４８】
撮像素子制御部１０７は、撮像素子１０６に転送クロック信号およびシャッター信号を供給するためのタイミングジェネレータ（ＴＧ）を有している。さらに、撮像素子制御部１０７は、撮像素子１０６の出力である画像信号についてノイズ除去およびゲイン処理を行うための処理回路、そして、アナログ信号である画像信号を、例えば、１０ビットデジタル信号に変換するためのＡ／Ｄ変換回路を有している。
【００４９】
加えて、撮像素子制御部１０７は、外部表示部１１３およびファインダー内部表示部１２４にライブビュー表示を行うため、ＣＰＵ１０１解像度変換指示に応じて、画素間引き処理を行うための処理回路などを有している。
【００５０】
画像処理部１０８は、撮像素子制御部１０７の出力であるデジタル信号について、例えば、ガンマ変換、色空間変換、およびホワイトバランス補正などの画像処理を行って、画像データとして、例えば、ＹＵＶ（４：２：２）フォーマットの８ビットデジタル信号（ＹＵＶ画像データ）を出力する。
【００５１】
表示制御部１１１は、ＹＵＶ画像データをＲＧＢ画像データに変換した後、外部表示部１１３、又はファインダー内部表示部１２４に出力する。なお、ＹＵＶ画像データは画像処理部１０８で生成されるか又はデータ格納部１０４に格納された圧縮画像データ（画像ファイル）にについて解凍処理を行うことによって得られる。
【００５２】
前述のように、レリーズＳＷ１１４は、ＣＰＵ１０１に対して撮影動作の開始を指示するためのスイッチである。このレリーズＳＷ１１４はカメラ操作部材（図示せず）であるレリーズ釦の押下圧に応じた２段階のスイッチポジションを備えている。レリーズ釦の１段目のポジション（半押し）まで押下すると、レリーズＳＷ１１４においてスイッチＳＷ１がＯＮとなり、２段目のポジション（全押し）まで押下すると、スイッチＳＷ１およびＳＷ２がＯＮとなる。
【００５３】
ＣＰＵ１０１は、レリーズ釦の半押し（スイッチＳＷ１のＯＮ）を検出すると（撮影のつまり、撮影の準備を行う撮影準備指示がＣＰＵ１０１に送られると）、測光（ＡＥ）および焦点検出（ＡＦ）動作を行う。そして、レリーズ釦の全押し（スイッチＳＷ２のＯＮ）を検出すると（つまり、撮影指示がＣＰＵ１０１に送られると）、ＣＰＵ１０１は撮像素子１０７から画像信号の取り込み動作（撮影）を行う。
【００５４】
測光制御部１３２は、ＣＰＵ１０１の制御下で、例えば、１５×２３分割画素を有する測光センサー１３０を駆動制御して被写体輝度信号を取り込む。そして、測光制御部１３２は当該被写体木戸信号をＣＰＵ１０１に送る。
【００５５】
測光動作の際には、ＣＰＵ１０１は、測光センサー１３０の受光面の画素において生じた輝度信号をＡ／Ｄ変換して、例えば、８ビットのデジタル輝度信号とする。ＣＰＵ１０１は、当該デジタル輝度信号に対して、撮影レンズ１０５のＦｎｏ．（Ｆナンバー）による補正、撮像素子１０６の出力信号（画像信号）のレベルおよびゲインの補正などを行って、最終的に被写界輝度値を得る。
【００５６】
そして、ＣＰＵ１０１は被写界輝度値などの情報に基づいて最適露出演算を行って、シャッタスピードおよび撮影レンズ１０５の絞りを制御して最適な露光とする。
【００５７】
図示のように、カメラ本体１０１にはリチャージャブルの２次電池１１６が備えられている。ＤＣ／ＤＣコンバータ１１７は、電池１１６から電源供給を受けて、昇圧およびレギュレーションを行って複数の電源電圧を生成する。そして、ＤＣ／ＤＣコンバータ１１７はＣＰＵ１０１などの各ブロックに必要な電圧の電源を供給する。このＤＣ／ＤＣコンバータ１１７は、ＣＰＵ１０１の制御によって、各々の電源電圧供給の開始、停止を行う。
【００５８】
図３は、図２に示すカメラによる撮影動作の一例を説明するためのフローチャートである。なお、図示のフローチャートに係る処理は、ＣＰＵ１０１の制御下で行われる。
【００５９】
いま、撮影者が撮影をするためにレリーズ釦を押すと、ＣＰＵ１０１は撮影動作を開始する。なお、カメラにはレリーズ釦を１回押す毎に１回の撮影を行う単写モードが設定されているものとする。また、ここでは、光学ファインダーによって被写体を観察して撮影する光学ファインダー撮影モードが設定されているものとする。
【００６０】
撮影動作を開始すると、ＣＰＵ１０１はレリーズ釦が半押し（スイッチＳＷ１のＯＮ）であるか否かを判定する（ステップＳ１０２）。スイッチＳＷ１がＯＦＦ（オフ）であると（ステップＳ１０２において、ＮＯ）、ＣＰＵ１０１は単写モードを終了する。
【００６１】
一方、スイッチＳＷ１がＯＮ（オン）であると（ステップＳ１０２において、ＹＥＳ）、ＣＰＵ１０１は測光（ＡＥ）動作および焦点検出動作（ＡＦ）を行う（ステップＳ１０３）。そして、ＣＰＵ１０１はレリーズ釦が全押しされたか否か、つまり、スイッチＳＷ２がＯＮであるか否かを判定する（ステップＳ１０４）。スイッチＳＷ２がＯＦＦであると（ステップＳ１０４において、ＮＯ）、ＣＰＵ１０１はステップＳ１０２の処理に戻る。
【００６２】
スイッチＳＷ２がＯＮであると（ステップＳ１０４において、ＹＥＳ）、ＣＰＵ１０１は主ミラー１２３を撮影レンズ１０５の光路外に退避させる（ミラーＵＰ：ステップＳ１０６）。そして、ＣＰＵ１０１はカメラを制御して撮影を行う（ステップＳ１０７）。ここでは、ＣＰＵ１０１は、モータ制御部を制御してシャッター１３３を駆動し、さらに、撮像素子１０６および撮像素子制御部１０７を制御して、撮像素子１０６から画像信号を得る。そして、当該画像信号は撮像素子制御部１０７からデジタル画像信号として画像処理部１０８に与えられる。
【００６３】
続いて、ＣＰＵ１０１は電子ビュー表示、つまり、クイックレビュー（ＱＲ）を行うか否かを判定する（ステップＳ１１０）。なお、ＱＲの有無については、設定部（図示せず）によって予め設定される。ＱＲが有りに設定されていると（ステップＳ１１０において、ＹＥＳ）、ＣＰＵ１０１は、撮影を行った後においてもレリーズ釦が全押し（スイッチＳＷ２がＯＮ）であるか否かを判定する（ステップＳ１１１）。
【００６４】
スイッチＳＷ２がＯＮであると（ステップＳ１１１において、ＹＥＳ）、ＣＰＵ１０１は画像処理部１０８を制御して、撮像素子制御部１０７の出力であるデジタル画像信号に対して現像処理（画像処理）を行う（ステップＳ１１３）。さらに、ＣＰＵ１０１は画像処理部１０８の出力である画像データを圧縮処理して、当該圧縮画像データをＲＡＭ１０３の画像展開エリアに一時的に格納するとともにデータ格納部１０４に格納する。
【００６５】
続いて、ＣＰＵ１０１は電子ビュー表示、つまり、クイックレビュー（ＱＲ）表示を行う（ステップＳ１１５）。ここでは、ＣＰＵ１０１は、一時的にＲＡＭ１０３の画像展開エリアに格納した圧縮画像データを表示用画像データとしてＶＲＡＭに展開する。そして、ＣＰＵ１０１は表示制御部１１１を制御して、この表示用画像データに応じた画像をファインダー内部表示部１２４に表示する。
【００６６】
次に、ＣＰＵ１０１はスイッチＳＷ２がＯＮであるか否かを判定する（ステップＳ１１６）。スイッチＳＷ２がＯＮであると（ステップＳ１１６において、ＹＥＳ）、ＣＰＵ１０１はクイックレビュー表示を開始してから所定の時間が経過したか否かを判定する（ステップＳ１１７）。なお、この所定の時間は、設定部によって予め設定される。
【００６７】
所定の時間が経過すると（ステップＳ１１７において、ＹＥＳ）、ＣＰＵ１０１はクイックレビュー表示をＯＦＦとする（ステップＳ１２０）。そして、ＣＰＵ１０１は主ミラー１２３をダウンさせる（ステップＳ１２２）。つまり、ＣＰＵ１０１は、主ミラー１２３を撮影レンズ１０５の光路内に戻して光学ファインダーによる被写体観察を可能な状態とする。その後、ＣＰＵ１０１は撮影動作を終了する。
【００６８】
なお、ステップＳ１１６において、スイッチＳＷ２がＯＦＦであると（ステップＳ１１６において、ＮＯ）、ＣＰＵ１０１はステップＳ１２０の処理に進む。また、ステップＳ１１７において、所定の時間が経過していないと（ステップＳ１１７において、ＹＥＳ）、ＣＰＵ１０１はステップＳ１１６の処理に戻る。
【００６９】
ステップＳ１１０において、ＱＲが無しに設定されていると（ステップＳ１１０において、ＮＯ）、ＣＰＵ１０１は、ＣＰＵ１０１は主ミラー１２３をダウンさせる（ステップＳ１２４）。その後、ＣＰＵ１０１は画像処理部１０８を制御して、撮像素子制御部１０７の出力であるデジタル画像信号に対して現像処理（画像処理）を行う（ステップＳ１２６）。そして、ＣＰＵ１０１は撮影動作を終了する。
【００７０】
なお、ステップＳ１１１において、スイッチＳＷ２がＯＦＦであると（ステップＳ１１１において、ＮＯ）、ＣＰＵ１０１はステップＳ１２４の処理に進む。
【００７１】
このように、ＱＲーを行わない場合（つまり、ステップＳ１１０においてＱＲが無しと判定された場合）又はステップＳ１１１においてスイッチＳＷ２がＯＦＦである場合には、ＣＰＵ１０１はミラーダウンを行った後、現像処理を行う。現像処理よりもミラーダウンを先に行うのは、光学ファインダーによる被写体の観察を優先させるためである。
【００７２】
単写モードにおいては、レリーズ釦の全押し状態を解除しない限り次の撮影を行うことができないので、レリーズ釦の全押しが維持されている場合には、撮影者は次の撮影を行う意思がないものと考えられる。そして、レリーズ釦の全押し状態が維持されて意場合に、クイックレビューを表示すれば、撮影者は光学ファインダーから眼を離すことなく、撮影後の画像を確認することができる。
【００７３】
一方、単写モードにおいて、レリーズ釦の全押し状態が解除された場合には、撮影者は次の撮影を直ぐに行う意思があると考えられる。この場合には、まずミラーダウンを行って、光学ファインダーによって被写体の確認が行えるようにすれば、撮影者は直ぐに次の撮影を行うことができる。
【００７４】
以上説明したように、本発明の第１の実施形態では、撮影に無関係な操作部材を操作することなく、しかも光学ファインダーから眼を離すことなく、常に被写体を確認することができる。そして、クイックビュー表示又は光学ファインダーによる被写体の観察を撮影者の意思によって容易に選択することができる。
【００７５】
なお、上述の例では、ファインダー内部表示部としてＴＦＴ液晶装置を用いたが、ファインダー内部表示部としてバックライトＬＥＤを必要としない有機ＥＬ表示パネルを用いるようにしてもよい。
【００７６】
［第２の実施形態］
続いて、本発明の第２の実施形態によるカメラの一例について説明する。なお、第２の実施形態によるカメラの構成は、図１および図２に示すカメラと同様である。
【００７７】
図４は、本発明の第２の実施形態によるカメラにおいて撮影動作の一例を説明するためのフローチャートである。なお、図示のフローチャートにおいて、図３に示すフローチャートにおけるステップと同一のステップについては同一の参照符号を付して説明を省略する。
【００７８】
第２の実施形態では、撮影の前に、撮影者はＱＲモードの設定を行う。ここでは、撮影者は、クイックレビューの開始について、ＱＲモードとして”レリーズ釦の全押し”、”レリーズ釦の半押し”、および”常に表示”の３条件から一つを選択する。
【００７９】
ステップＳ１１０において、ＱＲが有りに設定されていると、ＣＰＵ１０１は、後述するＱＲモードおよびＳＷ判定を行う（ステップＳ４０１）。そして、ＱＲモードおよびＳＷ判定の結果、ＱＲがＯＦＦであると（ステップＳ４０１において、ＮＯ）、ＣＰＵ１０１はステップＳ１２４の処理に進む。一方、ＱＲモードおよびＳＷ判定の結果、ＱＲがＯＮであると（ステップＳ４０１において、ＹＥＳ）、ＣＰＵ１０１はステップＳ１１３の処理に進む。
【００８０】
同様にして、ＣＰＵ１０１は、ステップＳ１１５においてクイックレビュー（ＱＲ）表示を行った後、ＱＲモードおよびＳＷ判定を行う（ステップＳ４０２）。そして、ＱＲモードおよびＳＷ判定の結果、ＱＲがＯＦＦであると（ステップＳ４０２において、ＮＯ）、ＣＰＵ１０１はステップＳ１２０の処理に進む。一方、ＱＲモードおよびＳＷ判定の結果、ＱＲがＯＮであると（ステップＳ４０２において、ＹＥＳ）、ＣＰＵ１０１はステップＳ１１７の処理に進む。
【００８１】
図５は、図４に示すＱＲモードおよびＳＷ判定を説明するためのフローチャートである。
【００８２】
ＱＲモードおよびＳＷ判定を開始すると、ＣＰＵ１０１はＱＲモードが上記の３条件のいずれであるかを判定する（ステップＳ４０６）。ＱＲモードが“レリーズ釦全押し”であると（ステップＳ４０６において、ＳＷ２  ｍｏｄｅ）、ＣＰＵ１０１はスイッチＳＷ２がＯＮであるか否かを判定する（ステップＳ４０７）。
【００８３】
スイッチＳＷ２がＯＮであると（ステップＳ４０７において、ＹＥＳ）、ＣＰＵ１０１はＱＲをＯＮとする（ステップＳ４０８）。これによって、ＣＰＵ１０１はステップＳ１１３又はＳ１２０の処理に進む。
【００８４】
一方、スイッチＳＷ２がＯＦＦであると（ステップＳ４０７において、ＮＯ）、ＣＰＵ１０１はＱＲをＯＦＦとする（ステップＳ４０９）。これによって、ＣＰＵ１０１はステップＳ１２４３又はＳ１１７の処理に進む。
【００８５】
ＱＲモードが“レリーズ釦半押し”であると（ステップＳ４０６において、ＳＷ１  ｍｏｄｅ）、ＣＰＵ１０１はスイッチＳＷ１がＯＮであるか否かを判定する（ステップＳ４１０）。スイッチＳＷ１がＯＮであると（ステップＳ４１０において、ＹＥＳ）、ＣＰＵ１０１はステップＳ４０８の処理に進む。一方、スイッチＳＷ１がＯＦＦであると（ステップＳ４１０において、ＮＯ）、ＣＰＵ１０１はステップＳ４０９の処理に進む。
【００８６】
ＱＲモードが“常に表示”であると（ステップＳ４０６において、常に）、ＣＰＵ１０１はステップＳ４０８の処理に進んで、ＱＲをＯＮとする。この場合には、レリーズ釦の状態に拘わらず、常にクイックレビュー表示が行われる。
【００８７】
なお、ＱＲモードが“常に表示”の場合には、所定の時間が経過するとクイックレビュー表示がＯＦＦとされるが、レリーズ釦を完全に離した後、再度押すとクイックレビュー表示をＯＦＦとするようにしてもよい。
【００８８】
このように、本発明の第２の実施形態では、クイックレビュー表示を“レリーズ釦全押し”、“レリーズ釦半押し”、および“常に表示”から選択するようにした。これによって、撮影者の選択に応じてレリーズ釦の操作に基づいて又はレリーズ釦の操作に関わらずクイックビュー表示を行うことができる。その結果、撮影者はクイックビュー表示又は光学ファインダーによる被写体の観察を容易に選択することができる。
【００８９】
［第３の実施形態］
続いて、本発明の第３の実施形態によるカメラの一例について説明する。なお、第３の実施形態によるカメラの構成は、図１および図２に示すカメラと同様である。
【００９０】
図６は、本発明の第２の実施形態によるカメラにおいて撮影動作の一例を説明するためのフローチャートである。なお、図示のフローチャートにおいて、図３に示すフローチャートにおけるステップと同一のステップについては同一の参照符号を付して説明を省略する。
【００９１】
前述の第１の実施形態では、レリーズ釦を１回押すごとに１回の撮影を行う単写モードについて説明した。第３の実施形態では、レリーズ釦を全押しのまま保持すると繰り返して撮影を行う“連写モード”について説明する。
【００９２】
なお、撮影者は、モード設定部（図示せず）によって撮影前に“連写モード”を設定したものとする。そして、ここでは、光学ファインダーによって被写体を観察しつつ撮影を行う光学ファインダー撮影モードに設定されているものとする。
【００９３】
ステップＳ１０７において、一回の撮影を行うと、ＣＰＵ１０１は、撮影者がレリーズ釦を半押しした状態であるか否か、つまり、スイッチＳＷ１がＯＮであるか否かを判定する（ステップＳ５１０）。スイッチＳＷ１がＯＦＦであると（ステップＳ５１０において、ＮＯ）、ＣＰＵ１０１は撮影者がレリーズ釦を離したと判定する。そして、ＣＰＵ１０１は画像処理部１０８を制御して、撮像素子制御部１０７の出力であるデジタル画像信号を現像処理して画像データを生成する（ステップＳ５１１）。さらに、ＣＰＵ１０１は画像データを圧縮処理して、当該圧縮画像データをデータ格納部１０４などに格納する。
【００９４】
その後、ＣＰＵ１０１は画像データに応じた画像をファインダー内部表示部１２４に表示する。つまり、ＣＰＵ１０１はクイックレビュー（ＱＲ）表示を行う（ステップＳ５２１）。そして、ＣＰＵ１０１は、撮影者がレリーズ釦を半押しした状態であるか否か、つまり、スイッチＳＷ１がＯＮであるか否かを判定する（ステップＳ５２２）。
【００９５】
スイッチＳＷ１がＯＦＦであると（ステップＳ５２２において、ＮＯ）、ＣＰＵ１０１は、スイッチＳＷ１がＯＦＦの後所定の時間が経過したか否かを判定する（ステップＳ５２３）。所定の時間が経過していないと（ステップＳ５２３において、ＮＯ）、ＣＰＵ１０１はステップＳ５２２の処理に戻る。
【００９６】
所定の時間が経過すると（ステップＳ５２３において、ＹＥＳ）、ＣＰＵ１０１はクイックレビューをＯＦＦとすめ（ステップＳ５２４）。その後、ＣＰＵ１０１は主ミラー１２３をダウンさせて（ステップＳ５２５）、撮影動作を終了する。
【００９７】
なお、ステップＳ５２２において、スイッチＳＷ１がＯＮであると（ステップＳ５２２において、ＹＥＳ）、ＣＰＵ１０１はステップＳ５２４の処理に進む。
【００９８】
このように、連写モードおいて、撮影者がレリーズ釦を離して連写を終了すると、ＣＰＵ１０１は主ミラー１２３をダウンすることなく現像処理を行う。そして、ＣＰＵ１０１は現像処理の後、クイックレビュー表示を行い、その終了後主ミラーをダウンする。このため、不必要な主ミラーのダウン／アップ動作をなくすことができる。
【００９９】
スイッチＳＷ１がＯＮであると（ステップＳ５１０において、ＹＥＳ）、ＣＰＵ１０１は主ミラー１２３をダウンさせる（ステップＳ５３０）。これによって、撮影者は光学ファインダーによる被写体の観察ができるようになる。
【０１００】
その後、ＣＰＵ１０１は画像処理部１０８を制御して、撮像素子制御部１０７の出力であるデジタル画像信号を現像処理して画像データを生成する（ステップＳ５３２）。さらに、ＣＰＵ１０１は画像データを圧縮処理して、当該圧縮画像データをデータ格納部１０４などに格納する。
【０１０１】
次に、ＣＰＵ１０１は、撮影者がレリーズ釦を半押しした状態であるか否か、つまり、スイッチＳＷ１がＯＮであるか否かを判定する（ステップＳ５３３）。スイッチＳＷ１がＯＮであると（ステップＳ５３３において、ＹＥＳ）、ＣＰＵ１０１は、ステップＳ１０３と動揺にＡＥ動作およびＡＦ動作を行う（ステップＳ５３４）。
【０１０２】
続いて、ＣＰＵ１０１はレリーズ釦が全押し状態であるか否か、つまり、スイッチＳＷ２がＯＮであるか否かを判定する（ステップＳ５３５）。スイッチＳＷ２がＯＮであると（ステップＳ５３５において、ＹＥＳ）、ＣＰＵ１０１はステップＳ１０６の処理に戻って主ミラー１２３をアップさせて次の撮影を行う。一方、スイッチＳＷ２がＯＦＦであると（ステップＳ５３５において、ＮＯ）、ＣＰＵ１０１はステップＳ５３３の処理に戻る。
【０１０３】
このように、撮影者がレリーズ釦を全押し状態で保持すると、ＣＰＵ１０１は撮影を繰り返す連写動作を行う。つまり、連写モードにおいては、撮影者がスイッチＳＷ２をＯＮに保持しても、ＣＰＵ１０１はクイックレビュー表示を行わずに連続的に撮影を行う。
【０１０４】
この際、ＣＰＵ１０１は１枚の撮影を行う都度、ミラーアップおよびミラーダウンを行って、撮影者が光学ファインダーによる被写体の観察を行うことができるようにする。
【０１０５】
また、連写中にレリーズ釦を半押し状態に戻してその状態を保持すると、ＣＰＵ１０１は撮影を行うことなく、ＡＥ動作およびＡＦ動作を繰り返し行う。この際には、主ミラーがダウンしているので、撮影者は光学ファインダーによる被写体の観察を行うことができる。
【０１０６】
ステップＳ５３３において、スイッチＳＷ１がＯＦＦであると（ステップＳ５３３において、ＮＯ）、ＣＰＵ１０１は主ミラー１２３をアップさせる（ステップＳ５３６）。これによって、ＣＰＵ１０１は光学ファインダーに向う光を遮断する。その後、ＣＰＵ１０１はステップＳ５２１の処理に進んでクイックレビュー（ＱＲ）表示を行う。
【０１０７】
このように、本発明の第３の実施形態では、連写途中でレリーズ釦を半押し状態ままとすると、ＣＰＵ１０１は撮影動作を行うことなく、ＡＥ動作およびＡＦ動作を行う。そして、再度レリーズ釦が半押しから全押しになると、ＣＰＵ１０１は撮影を行う。また、レリーズ釦が離されば、ＣＰＵ１０１は撮影のみならず、ＡＥ動作およびＡＦ動作を停止する。
【０１０８】
以上説明したように、本発明の第３の実施形態では、連写モードの際にはスイッチＳＷ１が保持された状態ではクイックレビュー表示を行うことなく、連写動作を行う。そして、連写中において撮影と撮影の合間では、ミラーダウンおよびミラーアップを行って、撮影者が被写体を観察できるようにする。
【０１０９】
これによって、撮影者は容易に被写体を確認しつつ連射撮影を行うことができる。さらに、連写中に被写体を観察するために個別にクイックレビュー表示の設定を変更する必要がない。
【０１１０】
上述の説明から明らかなように、図２に示す例では、少なくとも撮像素子１０６、撮像素子制御部１０７、および画像処理部１０８が撮像手段を構成する。さらに、ＣＰＵ１０１は第１の制御手段および第２の制御手段として機能する。また、設定部（図示せず）およびＣＰＵ１０１は第１の設定手段および第２の設定手段として機能する。
【０１１１】
以上、本発明について実施の形態に基づいて説明したが、本発明は、これらの実施の形態に限定されるものではなく、この発明の要旨を逸脱しない範囲の様々な形態も本発明に含まれる。
【０１１２】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【０１１３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１４】
１０１  ＣＰＵ
１０５  撮影レンズ
１０６  撮像素子
１０７  撮像素子制御部
１０８  画像処理部
１１４  レリーズＳＷ
１１９  焦点検出制御部
１２４  ファインダー内部表示部
１３０  測光センサー
１３１  レンズ駆動部
【図１】
2016111422.tif 000003
【図２】
2016111422.tif 000004
【図３】
2016111422.tif 000005
【図４】
2016111422.tif 000006
【図５】
2016111422.tif 000007
【図６】
2016111422.tif 000008